(57)【要約】【課題】積雪地帯でも対応できるように支持具本体と取付体とが一品種で取付け高さを調整可能とした軒樋支持具を提供することを目的とする。【解決手段】軒樋８を支持する樋耳支持部１１、１２が設けられた支持具本体１と、軒先の鼻隠し板Ｆなどに取り付けられる取付体２とからなり、この取付体２の屋外側端部に前記支持具本体１が止着された軒樋支持具において、前記取付体２は支持具本体１に止着される連結部材３と軒先の鼻隠し板Ｆなどに取り付けられるＬ字状に屈曲した固定部材４とからなり、連結部材３の屋内側端部に固定部材４が倒置可能に取付けられている。【選択図】      図１
2004183394.tif 000002
【特許請求の範囲】
【請求項１】
軒樋を支持する樋耳支持部が設けられた支持具本体と、軒先の鼻隠し板などに取り付けられる取付体とからなり、この取付体の屋外側端部に前記支持具本体が止着された軒樋支持具において、
前記取付体は支持具本体に止着される連結部材と軒先の鼻隠し板などに取り付けられるＬ字状に屈曲した固定部材とからなり、連結部材の屋内側端部に固定部材が倒置可能に取付けられていることを特徴とする軒樋支持具。
【発明の詳細な説明】
【０００１】
【発明の属する技術分野】
本発明は軒先の鼻隠し板などに取り付けられる軒樋支持具に関する。
【０００２】
【従来の技術】
従来、軒樋を軒先に取り付ける際に使用される軒樋支持具として、受け金具方式の軒樋受具や吊り金具方式の軒樋吊具がある。
例えば、軒樋吊具としては、両端部に軒樋耳支持部が、中央部にボルト挿通長孔が設けられた吊具本体と、一端部に軒先の鼻隠し板などに取り付る取付部が、他端部にボルト挿入孔が設けらた取付体とからなり、この取付体の他端部に前記吊具本体の中央部が装着されて、取付体のボルト挿入孔と吊具本体のボルト挿入長孔とに挿通されたボルトと、蝶ナットとで、吊具本体が取付体に止着されたものが知られている（例えば、特許文献１参照。）。
【０００３】
【特許文献１】
特開平２０００─８０７７１号公報（第１図及び第４図）
【０００４】
【発明が解決しようとする課題】
しかしながら、上記従来の軒樋支持具の場合、取付体の取付部は屋内側において下向きに直角に屈曲して一体に形成されており、積雪地帯ではこの軒樋支持具のを軒先の鼻隠し板などに取り付けると、屋根の軒先に接近してしまい、雪の荷重によって軒樋支持具に取り付けられた軒樋とともに変形してしまうことがあった。
そこで、積雪地帯でも対応できるように、取付体の取付部を屋内側において上向きに直角に屈曲した取付体を別途用意しているが、部品を２品種揃えておかなげればならないという問題があった。
【０００５】
本発明は上記従来の問題を解消しようとするものであり、その目的とするところは、積雪地帯でも対応できるように支持具本体と取付体とが一品種で取付け高さを調整可能とした軒樋支持具を提供することである。
【０００６】
【課題を解決するための手段】
請求項１記載の本発明の軒樋支持具は、軒樋を支持する樋耳支持部が設けられた支持具本体と、軒先の鼻隠し板などに取り付けられる取付体とからなり、この取付体の屋外側端部に前記支持具本体が止着された軒樋支持具において、前記取付体は支持具本体に止着される連結部材と軒先の鼻隠し板などに取り付けられるＬ字状に屈曲した固定部材とからなり、連結部材の屋内側端部に固定部材が倒置可能に取付けられていることを特徴としている。
【０００７】
【発明の実施の形態】
以下、本発明の実施の形態を図面に基づいて説明する。
図１は本発明の軒樋支持具の実施例を部品を分解して示す部分破断側面図、図２は本発明の軒樋支持具に使用される固定部材を示す斜視図、図３は本発明の竪樋支持具を降雪の少ない通常の地域での使用状態を説明する側面図、図４は本発明の軒樋支持具を積雪地域で使用する状態を説明する側面図である。
【０００８】
図１において、Ｈは内吊り方式の軒樋支持具であり、支持具本体１と取付体２とで構成されている。支持具本体１はポリカーボネート樹脂製のものであり、取付体２はステンレス製のものである。
【０００９】
支持具本体１の屋外側の一端部には軒樋の屋外側耳部を支持する樋耳支持部１１が、屋内側の他端部には軒樋の屋内側耳部を支持する樋耳支持部１２がそれぞれ設けられている。また、支持具本体１の中央部には長手方向に沿って連結ピン挿入用長孔１３が上下方向に開口して設けられている。
【００１０】
この連結ピン挿入用長孔１３に下方から挿通される連結ピン１４は、下端に鍔部１５を有し軸部１６に螺子１７が螺設されており、この軸部１６にワッシャー１８を介して蝶ナット１９が取付けられるようになっている。
【００１１】
取付体２は支持具本体１に止着される連結部材３と軒先の鼻隠し板Ｆなどに取り付けられるＬ字状に屈曲した固定部材４とからなる。連結部材３の屋内側の一端部には２個のネジ挿通孔３１が穿設された接続部３２が水平に設けられており、屋外側の他端部には連結部３３が水平に設けられている。接続部３２と連結部３３は傾斜部３４にて一体に連結されており、連結部３３のほぼ中央にはピン挿通孔３３ａが設けられている。
【００１２】
固定部材４は、図２に示すように、２個のネジ挿通孔４１が穿設された水平片部４２と、水平片部４２の後端から下向きに直角に屈曲して垂下した垂直片部４３と、この垂直片部４３にリベット等により止着された座板部４４とから構成されている。座板部４４は中央部が垂直片部４３を嵌め込むように凹設されており、座板部４４の周縁部には４個のビス孔４４ａが設けられている。
【００１３】
そして、連結部材３の接続部３２に固定部材４の水平片部４２を重ね合わせ、それぞれのネジ挿通孔３１と４１を一致させて、ボルト５をネジ挿通孔３１、４１に挿通させナット６を螺着し締結することにより、連結部材３と固定部材４を接続して取付体２を組み立てる。
【００１４】
この取付体２の連結部３３を支持具本体１の中央部に当接して、連結ピン挿入用長孔１３から連結ピン１４を挿通し、その先端を取付体２の連結部３３のピン挿通孔３３ａから上方に突出させ、連結ピン１４の先端にワッシャー１８を介して蝶ナット１９を螺着し締結することにより軒樋支持具Ｈを構成している。
【００１５】
このような軒樋支持具Ｈは、通常は雪の少ない地方において、図３に示すように、連結部材３の接続部３２に固定部材４の垂直片部４３を下向きにして接続した取付体２を用いて、支持具本体１に取付けて、軒先の鼻隠し板Ｆに固定部材４を釘７を座板部４４のビス孔４４ａに挿通して打ち付け固定する。このとき、軒樋８が支持具本体１に取り付けられたときに、軒先から軒樋８の屋外側耳部８１までの落差Ａが例えば７６ｍｍとなる位置で固定部材４は軒先の鼻隠し板Ｆに取り付けられる。なお、符号８２は竪樋８の屋内側耳部である。
【００１６】
一方、上記軒樋支持具Ｈを、積雪地帯で使用するときには、図４に示すように、固定部材４の垂直片部４３を上向きに倒置して連結部材３と接続した取付体２を用いて、軒先の鼻隠し板Ｆに固定部材４を釘７を座板部４４のビス孔４４ａに挿通して打ち付け固定する。このとき、軒樋８が支持具本体１に取り付けられたときに、軒先から軒樋８の屋外側耳部８１までの落差Ｂが例えば１１０ｍｍとなる位置で固定部材４は軒先の鼻隠し板Ｆに取り付けられることにより、屋根から雪が滑り落ちるときに軒樋８に雪が引っかかることがない。
【００１７】
このように、取付体２は、連結部材３にＬ字状に屈曲した固定部材４を倒置可能に取り付けることができるので、一品種で通常の地域と積雪地域とでの取付け高さを調整可能となる。
【００１８】
以上、本発明の実施の形態を図面に基づいて説明してきたが、具体的な構成はこの実施例に限られるものではなく本発明の要旨を逸脱しない範囲の設計変更等があっても本発明に含まれる。
例えば、上記実施の形態では軒樋支持具Ｈとして、内吊り方式の軒樋支持具を用いたが、外吊り方式の軒樋支持具であってもよく、また、受け金具方式の軒樋受け具であってもよい。
【００１９】
【発明の効果】
請求項１記載の軒樋支持具においては、軒樋を支持する樋耳支持部が設けられた支持具本体と、軒先の鼻隠し板などに取り付けられる取付体とからなり、この取付体の屋外側端部に前記支持具本体が止着された軒樋支持具において、前記取付体は支持具本体に止着される連結部材と軒先の鼻隠し板などに取り付けられるＬ字状に屈曲した固定部材とからなり、連結部材の屋内側端部に固定部材が倒置可能に取付けられているので、積雪地帯でも対応できるように支持具本体と取付体とが一品種で取付け高さを調整可能となり、部材の在庫管理のコストが低減される。
【図面の簡単な説明】
【図１】本発明の軒樋支持具の実施例を部品を分解して示す部分破断側面図である。
【図２】本発明の軒樋支持具に用いられる固定部材を示す斜視部である。
【図３】図１の軒樋支持具の使用状態を示す側面図である。
【図４】図１の軒樋支持具の積雪地帯での使用状態を示す側面図である。
【符号の説明】
Ｈ  軒樋支持具
１  支持具本体
１１、１２  樋耳支持部
１３  連結ピン挿入用長孔
１４  連結ピン
２  取付体
３  連結部材
４  固定部材
４２  水平片部
４３  垂直片部
４４  座板部
Ｆ  鼻隠し板
８  軒樋
８１  屋外側耳部
８２  屋内側耳部
【図１】
2004183394.tif 000003
【図２】
2004183394.tif 000004
【図３】
2004183394.tif 000005
【図４】
2004183394.tif 000006